(57)【要約】【課題】電池ボックスによって前パネルの美観を損なうことがないコンロを提供する。【解決手段】コンロの左前パネル２５は、上部傾斜部２６１、下部傾斜部２６２、湾曲部２６３を備える。開口部３４は、左前パネル２５のうち、上部傾斜部２６１の下部、湾曲部２６３、及び下部傾斜部２６２を含む領域に設けられる。電池ボックス７０の前面部７２は、ボックス側傾斜部７２１とボックス側湾曲部７２２を備え、ボックス側傾斜部７２１は上部傾斜部２６１と同一方向に傾斜し、ボックス側湾曲部７２２はボックス側傾斜部７２１の下端部から湾曲部２６３と同一方向に湾曲する。レバー部材７３は、ボックス側湾曲部７２２の下端部と、開口部３４の下縁部との間に設けられた隙間３８から前方に突出する。それ故、レバー部材７３を目立たなくできるので、左前パネル２５の美観を損なわない。【選択図】図４
2018009716.tif 000002
【特許請求の範囲】
【請求項１】
筐体と、前記筐体の前面に設けられる前パネルと、電池を収納する電池ボックスと、前記前パネルに設けられた開口部と、前記開口部の後ろ側に設けられ、前記電池ボックスをスライド可能に支持する支持部材と、前記電池ボックスの下部に設けられ、上方向に引き上げ可能に形成されたレバー部材と、前記レバー部材の下部に設けられ、前記支持部材に設けられた被係合部と係合する係合部とを備え、
前記電池ボックスが前記支持部材に支持され、且つ前記係合部が前記被係合部に係合した状態では、前記電池ボックスの前面部が前記開口部に収納され、
前記レバー部材を上方向に引き上げることで、前記被係合部に対する前記係合部の係合が外れ、前記電池ボックスが前記開口部から前方向に引き出し可能な状態となるコンロにおいて、
前記前パネルは、
上端部から下側になるにつれて前方に傾斜する上部傾斜部と、
前記前パネルの下端部において下側になるにつれて後方に傾斜する下部傾斜部と、
前記上部傾斜部と前記下部傾斜部を湾曲状に繋ぐ湾曲部と
を備え、
前記開口部は、前記前パネルのうち前記上部傾斜部の少なくとも下部と、前記湾曲部と、前記下部傾斜部とを含む領域に設けられ、
前記電池ボックスの前記前面部は、
前記前パネルの前記上部傾斜部に対応し、前記上部傾斜部と同一方向に傾斜するボックス側傾斜部と、
前記湾曲部に対応し、前記ボックス側傾斜部の下端部から前記湾曲部と同一方向に湾曲するボックス側湾曲部と
を備え、
前記ボックス側湾曲部の下端部と、前記開口部の下縁部との間には横長の隙間が形成され、
前記レバー部材は、前記隙間から前方に突出するように設けられていること
を特徴とするコンロ。
【請求項２】
前記上部傾斜部の上下幅は、前記湾曲部の上下幅よりも広く形成されていること
を特徴とする請求項１に記載のコンロ。
【請求項３】
前記レバー部材の先端部は、前記開口部から前記筐体の外側に突出する位置より斜め下方向に屈曲して形成されていること
を特徴とする請求項１又は２に記載のコンロ。
【請求項４】
前記レバー部材の前記先端部は、前記上部傾斜部の傾斜角に沿うように形成されていること
を特徴とする請求項３に記載のコンロ。
【発明の詳細な説明】
【技術分野】
【０００１】
本発明は、電池ボックスを備えたコンロに関する。
【背景技術】
【０００２】
従来、筐体内に支持部材を設け、この支持部材により電池を収納する電池ボックスを、筐体の前パネルから前方に引き出し可能にしたコンロが知られている（例えば、特許文献１参照）。この種のコンロは、一般的に、電池ボックスの下部に、底面から前方向に延びるレバー部材を有し、このレバー部材の下部に設けられた係合部を、筐体又は支持部材に係合させて、電池ボックスを支持部材で支持するように構成されている。使用者は、レバー部材に上方向の力を加えて撓ませることで、支持部材との係合状態を解除し、電池ボックスを前方向に抜き出すことができる。
【先行技術文献】
【特許文献】
【０００３】
【特許文献１】特開２００８−６６１５４号公報
【発明の概要】
【発明が解決しようとする課題】
【０００４】
上記構成のコンロでは、レバー部材が前方に突出し、しかもレバー部材を保護する為のガードを前方に突出するように構成される場合が多いことから、前パネルの美観が損なわれるという問題点があった。
【０００５】
本発明の目的は、電池ボックスによって前パネルの美観を損なうことがないコンロを提供することである。
【課題を解決するための手段】
【０００６】
請求項１に係る発明のコンロは筐体と、前記筐体の前面に設けられる前パネルと、電池を収納する電池ボックスと、前記前パネルに設けられた開口部と、前記開口部の後ろ側に設けられ、前記電池ボックスをスライド可能に支持する支持部材と、前記電池ボックスの下部に設けられ、上方向に引き上げ可能に形成されたレバー部材と、前記レバー部材の下部に設けられ、前記支持部材に設けられた被係合部と係合する係合部とを備え、前記電池ボックスが前記支持部材に支持され、且つ前記係合部が前記被係合部に係合した状態では、前記電池ボックスの前面部が前記開口部に収納され、前記レバー部材を上方向に引き上げることで、前記被係合部に対する前記係合部の係合が外れ、前記電池ボックスが前記開口部から前方向に引き出し可能な状態となるコンロにおいて、前記前パネルは、上端部から下側になるにつれて前方に傾斜する上部傾斜部と、前記前パネルの下端部において下側になるにつれて後方に傾斜する下部傾斜部と、前記上部傾斜部と前記下部傾斜部を湾曲状に繋ぐ湾曲部とを備え、前記開口部は、前記前パネルのうち前記上部傾斜部の少なくとも下部と、前記湾曲部と、前記下部傾斜部とを含む領域に設けられ、前記電池ボックスの前記前面部は、前記前パネルの前記上部傾斜部に対応し、前記上部傾斜部と同一方向に傾斜するボックス側傾斜部と、前記湾曲部に対応し、前記ボックス側傾斜部の下端部から前記湾曲部と同一方向に湾曲するボックス側湾曲部とを備え、前記ボックス側湾曲部の下端部と、前記開口部の下縁部との間には横長の隙間が形成され、前記レバー部材は、前記隙間から前方に突出するように設けられていることを特徴とする。
【０００７】
請求項２に係る発明のコンロは、請求項１に記載の構成に加え、前記上部傾斜部の上下幅は、前記湾曲部の上下幅よりも広く形成されていることを特徴とする。
【０００８】
請求項３に係る発明のコンロは、請求項１又は２に記載の構成に加え、前記レバー部材の先端部は、前記開口部から前記筐体の外側に突出する位置より斜め下方向に屈曲して形成されていることを特徴とする。
【０００９】
請求項４に係る発明のコンロは、請求項３に記載の構成に加え、前記レバー部材の前記先端部は、前記上部傾斜部の傾斜角に沿うように形成されていることを特徴とする。
【発明の効果】
【００１０】
請求項１に係る発明のコンロでは、前パネルに設けた開口部のうち、電池ボックスの前面部のボックス側湾曲部よりも後ろ側に横長の隙間が形成され、この隙間からレバー部材が突出するように構成されている。本発明では、このように最も突出するボックス側湾曲部よりも後ろ側で、且つ筐体の前面の下部よりレバー部材が前方に向けて突出しているので、レバー部材を目立たなくさせることができ、前パネルの美観を損なわない。また、前パネルの下部傾斜部に指を当て上側に滑らすことで、レバー部材に指を当て易くなっているので、電池ボックスの取り外し性を向上できる。
【００１１】
請求項２に係る発明のコンロでは、請求項１に記載の効果に加え、使用者の視線を上部傾斜部に集中させ、レバー部材への注意を低減させることができるので、レバー部材により美観が損なわれるのを効果的に防止できる。
【００１２】
請求項３に係る発明のコンロでは、請求項１又は２に記載の効果に加え、レバー部材を目立たなくさせることができる。
【００１３】
請求項４に係る発明のコンロでは、請求項３に記載の効果に加え、レバー部材と、前パネルの上部傾斜部とを一体のものとして視認させ易くすることができるので、レバー部材が独立して存在する印象を低減できる。これにより、レバー部材の存在感を低減できる。
【００１４】
なお、本発明のレバー部材の先端部は、前後方向で見た場合に、前記湾曲部の下端と同位置、又は前記筐体側に寄った位置に位置していてもよい。これにより、レバー部材をさらに目立たなくさせることができる。
【００１５】
なお、本発明は、請求項１から４に記載された発明特定事項の一部を任意に組み合わせてもよい。
【図面の簡単な説明】
【００１６】
【図１】コンロ１の斜視図である。
【図２】コンロ１の正面図である。
【図３】コンロ１の右側面図である。
【図４】左前パネル２５周囲を部分的に拡大した斜視図である。
【図５】左前パネル２５の背面側から見た斜視図である。
【図６】図５に示す左前パネル２５の背面側に、支持筒５０が固定された状態を示す斜視図である。
【図７】電池ボックス７０の斜視図である。
【図８】電池ボックス７０の平面図である
【図９】電池ボックス７０の右側面図である。
【図１０】左前パネル２５の開口部３４から電池ボックス７０を前方に引き出した状態を上方から見た図（天板を省略）である。
【図１１】図１０に示すＩ−Ｉ線矢視方向断面図である。
【発明を実施するための形態】
【００１７】
以下、本発明の実施形態を説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１８】
図１〜図４を参照し、コンロ１の外観構造を説明する。コンロ１は、グリル付きテーブルコンロである。コンロ１は、筐体２と天板３を備える。筐体２は、上部が開口する略直方体状に形成されている。天板３は、筐体２の開口する上部にネジ（図示略）で固定されている。天板３の右側には、バーナ開口部２０１が設けられ、左側には、バーナ開口部２０２が設けられている。それらバーナ開口部２０１，２０２の夫々の内側を上下に挿通するように、右コンロバーナ５と左コンロバーナ６が設けられている。天板３の後端側には、排気口部９が設けられている。排気口部９は、筐体２内に設置されたグリル庫（図示略）内のガス燃焼によって生じた燃焼ガスを外部に排出する。排気口部９には、複数のスリット１９１を備える安全カバー１９０が上側から装着されている。
【００１９】
筐体２は、筐体本体部２０、右前パネル２４、左前パネル２５等を互いに組み付け、ネジ（図示略）で固定することで構成されている。筐体本体部２０は、前側が開口する平面視略Ｕ字形状に形成されている。筐体本体部２０は、板金部材で形成され、右側板部２１、左側板部２２、後板部２３を備える。後板部２３は、右側板部２１及び左側板部２２の夫々の後端部同士を繋いでいる。筐体本体部２０の開口する前側部分において、右側板部２１の前端部の上部と、左側板部２２の前端部の上部との間には、金属製の上梁部（図示略）が略水平に渡設されている。右側板部２１の前端部の下部と、左側板部２２の前端部の下部との間には、金属製の下梁部（図示略）が渡設されている。
【００２０】
図１，図２に示すように、筐体本体部２０の開口する前側部分の右側には、樹脂製の右前パネル２４がネジ（図示略）で固定され、左側には、樹脂製の左前パネル２５がネジ（図示略）で固定されている。右前パネル２４と左前パネル２５の夫々の前面部は、上端部から下側になるにつれて前方に傾斜している（図１，図３，図４参照）。それ故、使用者がコンロ１の前面を前側から見下ろした場合、右前パネル２４と左前パネル２５の夫々の前面部が使用者の視線に対向するので、コンロ１の前面の視認性を向上できる。右前パネル２４と左前パネル２５に挟まれる中央部には、正面視略矩形状の開口部（図示略）が設けられている。該開口部の後ろ側には、グリル庫の前側に設けられたグリル開口（図示略）が配置される。開口部には、グリル扉１０が前後方向に移動可能に設けられ、グリル開口を開閉する。グリル扉１０の前面部は、右前パネル２４と左前パネル２５の夫々の前面と同一角度で、上端部から下側になるにつれて前方に傾斜している。グリル扉１０の前面部には、前方に突出する取手部１０１が設けられている。使用者が取手部１０１を手前側に引き出すと、グリル扉１０の背面下部に連結した受皿と焼き網（図示略）を、グリル庫内から同時に取り出すことができる。
【００２１】
右前パネル２４の前面部で、且つグリル扉１０の右隣には、点火ボタン１１が設けられている。その右隣には、点火ボタン１２が設けられている。左前パネル２５の前面部で、且つグリル扉１０の左隣には、点火ボタン１３が設けられている。点火ボタン１１〜１３は押し込み式であるが、押し回し式のツマミ等でもよい。点火ボタン１１を後方に押し込むと、右コンロバーナ５が点火され、再度押し込むと消火される。点火ボタン１２を後方に押し込むと、グリル庫内に設置されたグリルバーナ（図示略）が点火され、再度押し込むと消火される。点火ボタン１３を後方に押し込むと、左コンロバーナ６が点火され、再度押し込むと消火される。点火ボタン１３の左隣には、電池ボックス７０が手前に引き出し可能に設けられている。電池ボックス７０は、コンロ１に電源を供給する乾電池（図示略）を格納する。電池ボックス７０の直上には、乾電池の電圧低下を報知する為のＬＥＤ１７が設けられている。
【００２２】
点火ボタン１１の上方には、火力調節レバー１１１が設けられている。点火ボタン１２の上方には、火力調節レバー１２１が設けられている。点火ボタン１３の上方には、火力調節レバー１３１が設けられている。火力調節レバー１１１は、左右方向の回動操作によって、右コンロバーナ５の火力調節を行う。火力調節レバー１２１は、左右方向の回動操作によって、グリルバーナの火力調節を行う。火力調節レバー１３１は、左右方向における回動操作によって、左コンロバーナ６の火力調節を行う。
【００２３】
点火ボタン１１の下方には、ロック操作部１１２が設けられている。点火ボタン１２の下方には、ロック操作部１２２が設けられている。点火ボタン１３の下方には、ロック操作部１３２が設けられている。ロック操作部１１２，１２２，１３２は、点火ボタン１１〜１３に夫々対応するチャイルドロック機構（図示略）を操作するレバー部材である。ロック操作部１１２は、点火許容位置とロック位置との間を左右方向にスライドさせることによって、点火ボタン１１の押し込み操作を可能、又は不能にする。ロック操作部１２２は、点火許容位置とロック位置との間を左右方向にスライドさせることによって、点火ボタン１２の押し込み操作を可能、又は不能にする。ロック操作部１３２は、点火許容位置とロック位置との間を左右方向にスライドさせることによって、点火ボタン１３の押し込み操作を可能、又は不能にする。
【００２４】
図４〜図６を参照し、左前パネル２５の構造を具体的に説明する。図５に示すように、左前パネル２５は、前面部２６、右側面部２７、左側面部２８、上側固定片２９、下側固定片３０等を備える。
【００２５】
前面部２６は、上部傾斜部２６１、下部傾斜部２６２、湾曲部２６３等を備える（図５，図６参照）。上部傾斜部２６１は、前面部２６の上端部から下側になるにつれて前方に傾斜する部分である。下部傾斜部２６２は、前面部２６の下端部において下側になるにつれて後方に傾斜する部分である。湾曲部２６３は、上部傾斜部２６１と下部傾斜部２６２を湾曲状に繋ぐ部分である。これにより、前面部２６は、上下方向の中央位置よりもやや下側の位置において前方向に突出する側面視略Ｌ字状に形成されている（図３，図４参照）。上部傾斜部２６１の上下幅は、湾曲部２６３の上下幅よりも広く形成されている。それ故、使用者の視線は、湾曲部２６３に比べて上部傾斜部２６１に集中し易くなっている。
【００２６】
図５に示すように、前面部２６の右側には、点火ボタン１３用の開口部３３が設けられている。開口部３３は、正面視やや横長の略矩形状に形成されている。開口部３３の内縁部に沿って、後方に突出するリブ３３１が設けられている。リブ３３１は矩形枠状に形成され、そのリブ３３１の上側部、右側部、左側部には、後方に突出する側面視略矩形状の突出片４３が夫々設けられている。各突出片４３には、略矩形状の孔部４３Ａが設けられている。そのような開口部３３の周縁部に沿って、略矩形状の支持枠（図示略）が固定される。支持枠には、３枚の突出片４３の各孔部４３Ａに対応する３つの係合爪（図示略）が設けられている。各係合爪が各孔部４３Ａに係合することで、支持枠が開口部３３の周縁部に沿って固定される。そのような支持枠の上部において、点火ボタン１３が回動可能に軸支され、開口部３３に対して後方から前方に向けて挿入される（図４参照）。開口部３３の下方には、左右方向に長い開口３５が設けられている。開口３５には、支持枠の下部に設けられたチャイルドロック機構（図示略）のロック操作部１３２が後方から挿入される。
【００２７】
前面部２６の左側であって、上部傾斜部２６１の下部と、湾曲部２６３と、下部傾斜部２６２とを少なくとも含む領域には、電池ボックス７０用の開口部３４が設けられている。開口部３４は正面視やや縦長の略矩形状に形成されている。開口部３４の上端部の位置は、開口部３３の上端部の位置と同一である。開口部３４の下端部の位置は、開口部３３の下端部の位置よりも下側である。開口部３４の内縁部に沿って、後方に突出するリブ３４１が設けられている（図５参照）。リブ３４１は略矩形枠状に形成され、そのリブ３４１の右側部、左側部、下側部の夫々の略中央部には、後方に突出する側面視略矩形状の固定片４４が夫々設けられている。各固定片４４には、略矩形状の孔部４４Ａが設けられている。そのような開口部３４に対して、前面部２６の背面側から後述する支持筒５０（図６参照）が位置決めされて固定される。
【００２８】
開口部３４の左上角部の上方には、略円形状の孔部３６が設けられている。孔部３６は、左前パネル２５の背面側に取り付けられる回路基板（図示略）上のＬＥＤ１７を外部に露出させる。
【００２９】
右側面部２７は、前面部２６の右端部から後方に延び、右側面視略三角形状に形成されている（図５参照）。右側面部２７の後端部は上下方向に延び、その上部分と下部分には、後方に突出する板状の固定片４１が夫々設けられている。各固定片４１には、固定孔４１Ａが設けられている。これら２枚の固定片４１は、筐体２内のグリル庫の左側に設けられた支持部材（図示略）にネジで固定される。
【００３０】
左側面部２８は、前面部２６の左端部から円弧状に湾曲しながら後方に延び、左側面視略三角形状に形成されている（図３〜図５参照）。左側面部２８の後端部は上下方向に延び、その上部と中央部と下部には、後方に突出する板状の固定片４２が夫々設けられている。各固定片４２には、固定孔４２Ａが設けられている。これら３枚の固定片４２は、筐体本体部２０の左側板部２２の前端部に設けられた３つの固定穴（図示略）にネジで固定される。
【００３１】
上側固定片２９は、前面部２６（上部傾斜部２６１）の上端部に沿って左右方向に設けられている。上側固定片２９は、垂直部２９１と水平部２９２を備え、側面視逆Ｌ字状に形成されている。垂直部２９１は、上部傾斜部２６１の上端部から垂直上方に突出し、正面視横長の略矩形状に形成されている。水平部２９２は、垂直部２９１の上端部から後方に向かって突出し、平面視左右方向に延びる略矩形状に形成されている。水平部２９２には、左右方向に離間する一対の固定穴２９５，２９６が設けられている。水平部２９２は、筐体２の上梁部に対して上方から位置決めされ、固定穴２９５，２９６を介してネジで上梁部に固定される。
【００３２】
下側固定片３０は、前面部２６（下部傾斜部２６２）の下端部に沿って左右方向に設けられている。下側固定片３０は、前面部２６の下端部から後方に突出され、平面視左右方向に延びる略矩形状に形成されている。下側固定片３０の前後方向の略中央部に沿って、段部３０３が形成されている。下側固定片３０は、段部３０３を境に、前側部分よりも後側部分の方が一段高くなっている。下側固定片３０の左右両側には、一対のスリット３０１，３０２が設けられている。スリット３０１，３０２は左右方向に延び、段部３０３に沿って設けられている。下側固定片３０は、筐体２の下梁部に対して位置決めされ、下梁部に設けられた一対の係止爪（図示略）に対して、一対のスリット３０１，３０２を係合させる。これにより、下側固定片３０が下梁部に位置決め固定される。
【００３３】
図６を参照し、支持筒５０の構造を説明する。支持筒５０は、左前パネル２５の背面側において開口部３４に沿って固定され、電池ボックス７０を前後方向にスライド移動可能に支持する。支持筒５０は例えば樹脂製であって、前後方向に延びる略四角筒状に形成されている。支持筒５０は、右壁部５１、左壁部５２、上壁部５３、底壁部５４、枠状部５５等を備える。右壁部５１と左壁部５２は左右方向に互いに対向し、上壁部５３と底壁部５４は上下方向に互いに対向する。
【００３４】
右壁部５１は、右側面視前後方向に長い略逆Ｌ字状に形成され、その前側部分に形成された上下方向に長い略矩形状の前側部５１１（図６，図１１参照）と、該前側部５１１の上部から後方に延びる後側部５１２とを備える。前側部５１１の外面には、被係合部５１４が設けられている。被係合部５１４は、左前パネル２５の開口部３４の右側縁部に設けられた固定片４４が差し込まれるスリット（図示略）と、固定片４４の孔部４４Ａに係合させる爪部（図示略）とを備える。これにより、右壁部５１が固定片４４に固定される。さらに、右壁部５１の内面（左側面）の下側位置には、ガイド溝５１５が前後方向に延設されている。ガイド溝５１５は、右壁部５１を右側（外方）に向かって略Ｕ字状に屈曲して形成されている。
【００３５】
左壁部５２は、左側面視前後方向に長い略Ｔ字状に形成され、その前側部分に形成された上下方向に長い略矩形状の前側部５２１と、該前側部５２１の上下方向の略中央部から後方に延びる後側部５２２とを備える。前側部５２１の外面には、被係合部５２４が設けられている。被係合部５２４は、左前パネル２５の開口部３４の左側縁部に設けられた固定片４４が差し込まれるスリット（図示略）と、固定片４４の孔部４４Ａに係合させる爪部５２４Ａとを備える。これにより、左壁部５２が固定片４４に固定される。さらに、左壁部５２の内面（右側面）の下側位置であって、右壁部５１のガイド溝５１５に対向する位置には、ガイド溝５２５が前後方向に延設されている。ガイド溝５２５は、左壁部５２を左側（外方）に向かって略Ｕ字状に屈曲して形成されている。これらガイド溝５１５，５２５には、電池ボックス７０の後述する一対の被ガイド部７６，７７（図８参照）が挿入される。これにより、ガイド溝５１５，５２５は、電池ボックス７０を支持筒５０の長手方向に沿ってガイドする。
【００３６】
上壁部５３は、右壁部５１の上端部と、左壁部５２の前側部５２１の上端部との間に渡設され、平面視略台形状に形成されている。
【００３７】
底壁部５４は、右壁部５１の下端部と、左壁部５２の下端部との間に渡設され、平面視略矩形状に形成されている。底壁部５４は、前側から順に、前側部５４１、段部５４２、後側部５４３を備える。前側部５４１は、底壁部５４の前側に設けられ、平面視略矩形状に形成されている。前側部５４１の上面の前端部近傍には、係止突起５７が設けられている。係止突起５７は、前側部５４１の上面から上方に突出し、且つ左右方向に延びる略三角柱状に形成されている。また、前側部５４１には、左前パネル２５の開口部３４の下縁部に設けられた固定片４４と係合する被係合部（図示略）が設けられている。被係合部の構造は、右壁部５１及び左壁部５２の被係合部５１４，５２４と同様である。段部５４２は、前側部５４１の後端部から上方に立ち上がり、正面視略矩形状に形成されている。段部５４２は、前側部５４１の後端部と、後述する後側部５４３の前端部とを繋ぐ。
【００３８】
後側部５４３は、段部５４２の上端部から後方に延び、平面視略矩形状に形成されている。後側部５４３の中央には、平面視略矩形状の開口部５８が設けられている。開口部５８の周縁部のうち前側に位置する前縁部５８１の長手方向の略中央部には、後方に向かって平面視略半円形状に膨出する膨出部５９が設けられている。後側部５４３には、前縁部５８１の長手方向の両端部から前方に向けて切り込み状に形成された一対の切込溝６０（左側の切込溝は図示略）が設けられている。これにより、後側部５４３において一対の切込溝６０に囲まれた部分は上下方向に撓むことができる。さらに、前縁部５８１近傍の上面において、膨出部５９の左右両側には、被係止部６１，６２が設けられている。被係止部６１，６２は、夫々、後側部５４３の上面より上方に突出する断面略三角形状に形成されている（図１１参照）。後述するが、電池ボックス７０を開口部３４から前方に大きく引き出した際、電池ボックス７０の後端部に設けられた一対の係止爪７８，７９がこれら被係止部６１，６２に対して係止する（図１０，図１１参照）。
【００３９】
枠状部５５は、右壁部５１、左壁部５２、上壁部５３、及び底壁部５４で構成される四角筒の前側に形成される開口部に沿って設けられ、正面視略矩形枠状に形成されている。
【００４０】
ここで、左前パネル２５への支持筒５０の取付構造を説明する。先ず、支持筒５０の枠状部５５を、左前パネル２５の背面側から、左前パネル２５の開口部３４に対向させる。そして、枠状部５５を開口部３４の周縁部に密着させると共に、開口部３４の周縁部から後方に突出する３枚の固定片４４に対して、右壁部５１に設けられた被係合部５１４、左壁部５２に設けられた被係合部５２４、底壁部５４に設けられた被係合部（図示略）を夫々係合させる。これにより、支持筒５０は、左前パネル２５の開口部３４に取り付けられる。図１１に示すように、開口部３４に取り付けられた支持筒５０は、前端側が後端側より低くなるように傾斜して支持される。
【００４１】
図７〜図９を参照し、電池ボックス７０の構造を説明する。電池ボックス７０は、ボックス本体７１、前面部７２、レバー部材７３等を備える。これらボックス本体７１、前面部７２、レバー部材７３は樹脂で一体成型される。ボックス本体７１は、上部が開口し且つ前後方向に長い細長の略直方体状の箱体である。ボックス本体７１の内側には、電池格納部７５が設けられている。電池格納部７５には、例えば二個の乾電池が直列に格納される。前面部７２は、ボックス本体７１の前側に設けられている。前面部７２は、電池ボックス７０が支持筒５０の内側に収納された状態において、左前パネル２５の開口部３４を塞ぐパネル部材である。レバー部材７３は、ボックス本体７１の下部から前方に突出するようにして設けられ、支持筒５０に設けられた係止突起５７と係合可能である。レバー部材７３は、上方向に引き上げることで、支持筒５０の係止突起５７との係合を解除し、電池ボックス７０を手前に引き出し可能な状態にする。
【００４２】
先ず、ボックス本体７１の構造を説明する。図７，図８に示すように、ボックス本体７１は、右壁部７１１、左壁部７１２、前壁部７１３、背壁部７１４、底壁部７１５等を備える。右壁部７１１は、右側面視前後方向に長い略矩形状に形成されている。右壁部７１１の外面の下端部には、右側方に突出し且つ前後方向に延びる被ガイド部７６が設けられている。左壁部７１２は、左側面視前後方向に長い略矩形状に形成され、右壁部７１１と左右方向に対向する。左壁部７１２の外面の下端部にも、左側方に突出し且つ前後方向に延びる被ガイド部７７（図８参照）が設けられている。前壁部７１３は、右壁部７１１の前端部と、左壁部７１２の前端部との間に渡設されている。前壁部７１３の前面は、上端部から下側になるにつれて前方に傾斜している。前壁部７１３の背面には、端子部７１７が取り付けられる（図１０，図１１参照）。端子部７１７は、電池格納部７５に格納された前側の乾電池のプラス側と接触する。
【００４３】
背壁部７１４は、背面視略矩形状に形成されている。背壁部７１４の背面（外面）の下部における左右両側には、一対の係止爪７８，７９が設けられている。係止爪７８，７９は、後方に突出し、且つ下向きの爪を先端部に有する。背壁部７１４には、コイルバネ状の端子部７１８が取り付けられる（図１０，図１１参照）。端子部７１８は、電池格納部７５に格納された後ろ側の乾電池のマイナス側と接触し且つ前方に付勢する。なお、端子部７１７，７１８は、左前パネル２５の背面側に取り付けられる回路基板（図示略）上の電源回路（図示略）に接続される。
【００４４】
底壁部７１５は、平面視前後方向に長い略矩形状に形成されている。底壁部７１５の上面には、６つの平面視略半円弧状のリブ８５が所定間隔を空けて前後方向に並んで立設されている。リブ８５は、電池格納部７５に格納される二個の乾電池を下方から支持する。底壁部７１５の上面には、乾電池のプラス側とマイナス側を示すマークＭ１，Ｍ２と、電池の向きを示すマークＭ３とが夫々刻設されている（図８参照）。
【００４５】
次に、前面部７２の形状を説明する。図７〜図９に示すように、前面部７２は、正面視略矩形状に形成されたパネル部材である。前面部７２の大きさは、左前パネル２５の開口部３４の下部を除く領域を塞ぐことができる程度の大きさである。前面部７２の４つの角部は円弧状に形成されている。前面部７２は、ボックス側傾斜部７２１とボックス側湾曲部７２２を備える。ボックス側傾斜部７２１は、前面部７２の上側略２／３の領域を占め、前面部２６の上部傾斜部２６１の形状に対応する。即ち、ボックス側傾斜部７２１は、上端部から下側になるにつれて前方に傾斜し、上部傾斜部２６１と同一方向に傾斜する（図４参照）。ボックス側湾曲部７２２は、前面部７２の下側略１／３の領域を占め、前面部２６の湾曲部２６３に対応する。即ち、ボックス側湾曲部７２２は、ボックス側傾斜部７２１の下端部から湾曲部２６３と同一方向に湾曲する（図４参照）。
【００４６】
次に、レバー部材７３の形状を説明する。レバー部材７３は、ボックス本体７１の底壁部７１５の下面の前側部から前側に対して斜め下方に突出し、前方に向かって延びる板材である。レバー部材７３は、基部７３１、前方延設部７３２、操作部７３３等を備える。基部７３１は、ボックス本体７１の底壁部７１５の下面の前側部から前側に対して斜め下方に突出する部分である。前方延設部７３２は、基部７３１の突出する下端部から前方向に延びる部位である。前方延設部７３２の前端部の位置は、例えば前面部７２のボックス側傾斜部７２１とボックス側湾曲部７２２の境界部分である（図９参照）。前方延設部７３２の下面における前端側には、下方に突出する突起部８１が設けられている（図９参照）。突起部８１は、断面略三角形状に形成されている。操作部７３３は、前方延設部７３２の前端部から前側に対して斜め下方向に屈曲して形成されている。操作部７３３の傾斜角は、電池ボックス７０を左前パネル２５の開口部３４に格納した状態において、左前パネル２５の上部傾斜部２６１の傾斜角と略同一である（図２〜図４参照）。
【００４７】
図１０，図１１を参照し、左前パネル２５の開口部３４に対する電池ボックス７０の装着方法を説明する。先ず、左前パネル２５の前側から開口部３４に対し、電池ボックス７０の後端側を向ける。そして、開口部３４の後ろ側に設けられた支持筒５０の右壁部５１及び左壁部５２に設けられたガイド溝５１５，５２５に対し、開口部３４を介して、電池ボックス７０の右壁部７１１及び左壁部７１２に設けられた被ガイド部７６，７７を前側から差し込み、後方に向けてスライドさせる。電池ボックス７０は、ガイド溝５１５，５２５に沿って後方にスライド移動する。すると、電池ボックス７０の背壁部７１４に設けられた一対の係止爪７８，７９が、支持筒５０の後側部５４３に設けられた一対の被係止部６１，６２に対して前側から当接する。被ガイド部７６，７７は、ガイド溝５１５，５２５に沿って後方に移動するので、支持筒５０における電池ボックス７０の高さ位置は変わらない。それ故、係止爪７８，７９は、被係止部６１，６２を下方に付勢するので、後側部５４３において一対の切込溝６０に囲まれた部分が下方向に撓む。これに伴い、係止爪７８，７９は被係止部６１，６２を乗り越え、後側部５４３は樹脂の弾性復帰力で元の形状に戻る。電池ボックス７０は引き続き、ガイド溝５１５，５２５に沿って後方にスライド移動する。
【００４８】
次いで、レバー部材７３の前方延設部７３２の下面に設けられた突起部８１が、支持筒５０の底壁部５４の前側部５４１の上面に設けられた係止突起５７に接触する。さらに電池ボックス７０を後方に押し込むと、突起部８１が係止突起５７を乗り上げるので、レバー部材７３は基部７３１を基点にして上方に撓む。突起部８１が係止突起５７を後方に乗り越えると、レバー部材７３は樹脂の弾性復帰力で元の形状に戻り、係止突起５７に係止した状態となる。このとき、電池ボックス７０の前面部７２は、左前パネル２５の開口部３４の内側に配置される。このようにして、電池ボックス７０が左前パネル２５の開口部３４に装着される。
【００４９】
図４を参照し、左前パネル２５の開口部３４に装着された電池ボックス７０周囲の美観について説明する。電池ボックス７０が開口部３４に装着された状態において、左前パネル２５の上部傾斜部２６１に対して、電池ボックス７０の前面部７２のボックス側傾斜部７２１が配置され、湾曲部２６３に対して、前面部７２のボックス側湾曲部７２２が配置される。つまり、前面部７２は、左前パネル２５の傾斜及び湾曲形状に沿って配置されるので、左前パネル２５の前面と同一面を形成できる。これにより、前面部７２を目立たなくすることができるので、左前パネル２５の美観を向上できる。
【００５０】
さらに、電池ボックス７０の前面部７２のボックス側湾曲部７２２の下端部と、開口部３４の下縁部との間には、横長の隙間３８が形成されている。この隙間３８からレバー部材７３の操作部７３３が前方に突出している。即ち、操作部７３３は、ボックス側湾曲部７２２よりも後ろ側から前方に突出しているので、レバー部材７３を目立たなくさせることができる。これにより、左前パネル２５の美観を損なわない。また、レバー部材７３の操作部７３３は、開口部３４から筐体２の外側に突出する位置より、斜め下方向に屈曲して形成されているので、レバー部材７３をさらに目立たなくさせることができる。さらに、レバー部材７３の操作部７３３は、左前パネル２５の上部傾斜部２６１の傾斜角に沿うように形成されているので、レバー部材７３と、左前パネル２５の上部傾斜部２６１とを一体のものとして視認させ易くすることができる。これにより、レバー部材７３が独立して存在する印象を低減できるので、レバー部材７３の存在感をさらに低減できる。
【００５１】
さらに、レバー部材７３の操作部７３３の先端は、コンロ１の前後方向で見た場合において、左前パネル２５の湾曲部２６３の下端よりも筐体２側に寄った位置に位置している（図３参照）。これにより、レバー部材７３をさらに目立たなくさせることができる。なお、レバー部材７３の操作部７３３の先端は、湾曲部２６３の下端と同一位置であってもよい。
【００５２】
また、左前パネル２５において、上部傾斜部２６１の上下幅は、湾曲部２６３の上下幅よりも広く形成されているので、使用者の視線を上部傾斜部２６１に集中させ、レバー部材７３への注意を低減させることができるので、レバー部材７３により美観が損なわれるのを効果的に防止できる。
【００５３】
図１０，図１１を参照し、電池ボックス７０の引き出し方法を説明する。先ず、使用者は、隙間３８から突出するレバー部材７３の操作部７３３に下側から指を掛け、レバー部材７３を上側に引き上げる。すると、レバー部材７３が上側に撓み、前方延設部７３２に設けられた突起部８１が、支持筒５０の底壁部５４に設けられた係止突起５７から離れるので、係止突起５７に対する突起部８１の係合が解除される。そして、操作部７３３を手前に引き出すことで、電池ボックス７０全体がガイド溝５１５，５２５に沿って前方にスライド移動する。上記の通り、支持筒５０は、前端側が後端側よりも低くなるように傾斜しているので、電池ボックス７０の被ガイド部７６，７７は、支持筒５０のガイド溝５１５，５２５に沿って前方に滑り易い。これにより、電池ボックス７０を手前側に容易に引き出すことができる。
【００５４】
そして、開口部３４から電池ボックス７０の約２／３が前方に引き出されたときに、電池ボックス７０の背壁部７１４の外面に設けられた一対の係止爪７８，７９が、支持筒５０の底壁部５４に設けられた一対の被係止部６１，６２に対して後方から係止する。これにより、電池ボックス７０は支持筒５０に対して係止した状態となるので、開口部３４から電池ボックス７０が前方に抜け落ちるのを防止できる。また、電池ボックス７０の約２／３を開口部３４から引き出した状態で、電池ボックス７０の姿勢が保持されるので、例えば、電池ボックス７０を開口部３４から抜き出すことなく、電池格納部７５内の乾電池を交換できる。これにより、乾電池の交換作業を簡単且つ速やかに行うことができる。
【００５５】
また、本実施形態では、電池ボックス７０が開口部３４に装着された状態において、隙間３８から前方に突出するレバー部材７３の操作部７３３の下側後方には、左前パネル２５の下部傾斜部２６２が位置している。下部傾斜部２６２は、下側になるにつれて後方に傾斜している。よって、使用者は、下部傾斜部２６２に指を当て上側に滑らすことで、左前パネル２５の前面部２６を見なくても、レバー部材７３の操作部７３３に指を容易に当てることができる。即ち、本実施形態のように、レバー部材７３の操作部７３３が目立たない位置にあっても、下部傾斜部２６２に沿って指を滑らすことによって、操作部７３３に指を容易に当てることができる。これにより、支持筒５０に対するレバー部材７３の取り外し性を向上できる。
【００５６】
以上説明において、左前パネル２５が本発明の「前パネル」の一例である。左前パネル２５の開口部３４が本発明の「開口部」の一例である。支持筒５０が本発明の「支持部材」の一例である。レバー部材７３に設けられた突起部８１が本発明の「係合部」の一例である。支持筒５０に設けられた係止突起５７が本発明の「被係合部」の一例である。
【００５７】
以上説明したように、本実施形態のコンロ１は、筐体２を備える。筐体２の前面左側には、左前パネル２５がネジで取り付けられている。左前パネル２５には、開口部３４が設けられ、その開口部３４には、電池ボックス７０を前後方向にスライド可能に支持する支持筒５０が設けられている。電池ボックス７０の下部には、レバー部材７３が設けられている。レバー部材７３の下面には、支持筒５０の底壁部５４の上面に設けられた係止突起５７に係合可能な突起部８１が設けられている。電池ボックス７０が支持筒５０に支持され、且つ突起部８１が係止突起５７に係合した状態では、電池ボックス７０の前面部７２が開口部３４に収納される。使用者がレバー部材７３を上方向に引き上げることで、係止突起５７に対する突起部８１の係合が外れ、電池ボックス７０が開口部３４から前方向に引き出し可能な状態となる。
【００５８】
このようなコンロ１において、左前パネル２５の前面部２６は、上部傾斜部２６１、下部傾斜部２６２、湾曲部２６３を備える。上部傾斜部２６１は、前面部２６の上端部から下側になるにつれて前方に傾斜する。下部傾斜部２６２は、前面部２６の下端部において下側になるにつれて後方に傾斜する。湾曲部２６３は、上部傾斜部２６１と下部傾斜部２６２を湾曲状に繋ぐ。開口部３４は、左前パネル２５の前面部２６のうち、上部傾斜部２６１の少なくとも下部と、湾曲部２６３と、下部傾斜部２６２とを含む領域に設けられている。電池ボックス７０の前面部７２は、ボックス側傾斜部７２１とボックス側湾曲部７２２を備える。ボックス側傾斜部７２１は、左前パネル２５の上部傾斜部２６１に対応し、上部傾斜部２６１と同一方向に傾斜する。そして、ボックス側湾曲部７２２の下端部と、開口部３４の下縁部との間には、横長の隙間３８が形成されている。レバー部材７３は、隙間３８から前方に突出するように設けられている。
【００５９】
このような構成を備えることによって、電池ボックス７０の前面部７２において最も突出するボックス側湾曲部７２２よりも後ろ側で、且つ左前パネル２５の前面部２６の下部からレバー部材７３を前方に向けて突出させることができるので、レバー部材７３を目立ち難くすることができ、左前パネル２５の美観を損なわない。また、左前パネル２５の下部傾斜部２６２に指を当て上側に滑らすことで、レバー部材７３に指を当て易くなっているため、電池ボックス７０の取り外し性を向上できる。
【００６０】
また、上記実施形態では、左前パネル２５の前面部２６において、上部傾斜部２６１の上下幅は、湾曲部２６３の上下幅よりも広く形成されている。これにより、使用者の視線を上部傾斜部２６１に集中させ、レバー部材７３への注意を低減させることができるので、レバー部材７３により美観が損なわれるのを効果的に防止できる。
【００６１】
また、上記実施形態では、レバー部材７３の先端部である操作部７３３は、開口部３４から筐体２の外側に突出する位置より斜め下方向に屈曲して形成されている。これにより、レバー部材７３をさらに目立たなくさせることができる。
【００６２】
また、上記実施形態では、レバー部材７３の操作部７３３は、上部傾斜部２６１の傾斜角に沿うように形成されている。これにより、レバー部材７３と、左前パネル２５の上部傾斜部２６１とを一体のものとして視認させ易くすることができるので、レバー部材７３が独立して存在する印象を低減できる。これにより、レバー部材７３の存在感を低減できる。
【００６３】
なお、本発明は上記実施形態に限定されるものではなく、種々の変更が可能である。例えば、上記実施形態のコンロ１はグリル付きテーブルコンロであるが、ビルトインタイプのコンロでもよい。また、コンロ１は、右コンロバーナ５と左コンロバーナ６の２つのコンロバーナを備えるが、コンロバーナの数は２つに限らず、１つでもよく、３つ以上であってもよい。
【００６４】
上記実施形態では、電池ボックス７０を格納する開口部３４を、左前パネル２５の前面部２６の左側に設けているが、開口部３４の位置はこれ以外でもよく、例えば、右前パネル２４の前面部に設けてもよい。
【００６５】
上記実施形態の電池ボックス７０に設けられたレバー部材７３において、操作部７３３は、上部傾斜部２６１の傾斜角に沿うように斜め下方向に屈曲して形成されているが、操作部７３３の傾斜角は、上部傾斜部２６１の傾斜角と同一でなくてもよい。また、操作部７３３を屈曲させずに、前方延設部７３２の延長線上に延ばしてもよい。さらに、操作部７３３の形状についても、矩形状以外でもよく、例えば三角形状でもよい。
【００６６】
上記実施形態の電池ボックス７０において、背壁部７１４の外面には、一対の係止爪７８，７９が設けられているが、何れか一方のみでもよい。
【００６７】
上記実施形態の電池ボックス７０において、前面部７２の形状は、左前パネル２５に設けられた開口部３４の形状に対応させて矩形状にしているが、前面部７２の形状が矩形状以外の形状であれば、その形状に合わせればよい。
【符号の説明】
【００６８】
１    コンロ
２    筐体
２５    左前パネル
３４    開口部
３８    隙間
５０    支持筒
６１    係止部
６２    係止部
７０    電池ボックス
７２    前面部
７３    レバー部材
８１    突起部
２６１    上部傾斜部
２６２    下部傾斜部
２６３    湾曲部
７２１    ボックス側傾斜部
７２２    ボックス側湾曲部
７３３    操作部
【図１】
2018009716.tif 000003
【図２】
2018009716.tif 000004
【図３】
2018009716.tif 000005
【図４】
2018009716.tif 000006
【図５】
2018009716.tif 000007
【図６】
2018009716.tif 000008
【図７】
2018009716.tif 000009
【図８】
2018009716.tif 000010
【図９】
2018009716.tif 000011
【図１０】
2018009716.tif 000012
【図１１】
2018009716.tif 000013